(57)【要約】【課題】二次電池の充電状態を良好に維持する電子機器を提供する。【解決手段】脈拍計５０は、充電可能な二次電池１１０と、外部から電源を供給するための電源接続部１３０と、電源接続部１３０の状態に基づいて制御信号を出力し、制御信号に応じて、二次電池１１０と電源接続部１３０とを繋ぐ電力線を接続状態および非接続状態の何れかに切り替える電子スイッチ部１２６を有する電力制御部１２０と、を備え、電力制御部１２０は、電子スイッチ部１２６が非接続状態であり、かつ、電源接続部１３０に電源が供給された場合、制御信号に基づき電子スイッチ部１２６を非接続状態から接続状態へ切り替える。【選択図】図２
2015119908.tif 000002
【特許請求の範囲】
【請求項１】
充電可能な二次電池と、
外部から電源を供給するための接続部と、
前記接続部の状態に基づいて制御信号を出力し、前記制御信号に応じて、前記二次電池と前記接続部とを繋ぐ電力線を接続状態および非接続状態の何れかに切り替えるスイッチ部を有する電力制御部と、を備え、
前記電力制御部は、前記スイッチ部が前記非接続状態であり、かつ、前記接続部に前記電源が供給された場合に、前記制御信号に基づき前記スイッチ部を前記非接続状態から前記接続状態への切り替えることを備えることを特徴とする電子機器。
【請求項２】
請求項１に記載の電子機器において、
前記スイッチ部は、少なくともユーザーが前記電子機器を初めて使用する状態において、前記非接続状態であることを特徴とする電子機器。
【請求項３】
請求項１乃至２のいずれかに記載の電子機器において、
前記接続状態の前記スイッチ部を介して前記二次電池から前記電源が供給され、所定の機能を制御する機能制御部を備えることを特徴とする電子機器。
【請求項４】
請求項１乃至３のいずれか１項に記載の電子機器において、
前記接続部と着脱自在に連結し、連結した前記接続部に前記電源を供給する電源供給部を備えることを特徴とする電子機器。
【請求項５】
請求項１乃至４のいずれか１項に記載の電子機器において、
前記電力制御部は、前記スイッチ部が前記接続状態であり、かつ、前記二次電池の電圧が基準値以下に低下した場合、前記スイッチ部を前記接続状態から前記非接続状態へ切り替えることを特徴とする電子機器。
【請求項６】
請求項１乃至５のいずれか１項に記載の電子機器において、
ユーザーの生体に関する生体情報を検出する生体情報検出部を備えることを特徴とする電子機器。
【請求項７】
請求項６に記載の電子機器において、
前記生体情報を光の点滅により表示する表示部を備えることを特徴とする電子機器。
【請求項８】
請求項１乃至７のいずれか１項に記載の電子機器において、
前記二次電池は容量が１００ｍＡｈ以下であることを特徴とする電子機器。
【発明の詳細な説明】
【技術分野】
【０００１】
本発明は、電子機器に関する。
【背景技術】
【０００２】
従来、ユーザーの手首に装着し、種々の情報を処理する情報処理装置が製品化されている。このような情報処理装置は、携帯性を考慮して小型化や軽量化が図られ、電力を情報処理装置に供給する充電池も小さくて軽いタイプが使用されている。
このような情報処理装置では、充電池は工場出荷時に充電されるが、容量の小さい充電池の放電を抑止するため、下記特許文献１に記載されているように、充電池と端子とが絶縁シート等の絶縁部材で絶縁された状態で出荷される。従って、情報処理装置を入手したユーザーは、最初に、情報処理装置を開封してカバーを外し、絶縁している絶縁シートを取り外す作業が必要である。そして、絶縁シートを取り外し、外部の電源から電力を供給することで、充電池が充電されると共に、情報処理装置を駆動状態に遷移させて初期化設定等を開始した。
【先行技術文献】
【特許文献】
【０００３】
【特許文献１】特開平１１−２１３９７４号公報
【発明の概要】
【発明が解決しようとする課題】
【０００４】
しかしながら、情報処理装置の小型化を図りつつ、防水性や耐塵性を向上させるために、カバーを外して充電池を露出させることを避ける形態が多く採用され、絶縁シート等の絶縁部材に替えて使用開始時まで充電池の放電を抑止するための技術の確立が望まれていた。
本発明は、上述の課題に鑑みてなされたものであり、充電池の充電状態を良好に維持することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる電子機器は、充電可能な二次電池と、外部から電源を供給するための接続部と、前記接続部の状態に基づいて制御信号を出力し、前記制御信号に応じて、前記二次電池と前記接続部とを繋ぐ電力線を接続状態および非接続状態の何れかに切り替えるスイッチ部を有する電力制御部と、を備え、前記電力制御部は、前記スイッチ部が前記非接続状態であり、かつ、前記接続部に前記電源が供給された場合に、前記制御信号に基づき前記スイッチ部を前記非接続状態から前記接続状態への切り替えることを備えることを特徴とする。
【０００７】
このような構成によれば、二次電池と接続部とを繋ぐ電力線が非接続状態である場合、二次電池からの放電が回避でき、接続部に電源が供給された場合、スイッチ部は電気信号により非接続状態から接続状態へ切り替わるため、二次電池は接続部に供給される電源により充電される。従って、非接続状態における二次電池の放電を回避できると共に、外部から電源が供給された場合に充電が開始されることで、二次電池の充電状態を良好に維持できる。
【０００８】
［適用例２］
上記適用例にかかる電子機器において、前記スイッチ部は、少なくともユーザーが前記電子機器を初めて使用する状態において、前記非接続状態であることが好ましい。
このような構成によれば、ユーザーが前記電子機器を初めて使用する状態において、スイッチ部が非接続状態であるため、二次電池の放電を回避でき、二次電池の充電状態を良好に維持できる。
【０００９】
［適用例３］
上記適用例にかかる電子機器において、前記接続状態の前記スイッチ部を介して前記二次電池から前記電源が供給され、所定の機能を制御する機能制御部を備えることが好ましい。
【００１０】
このような構成によれば、機能制御部は、スイッチ部が接続状態の場合、二次電池から電源が供給され、所定の機能を制御できる。
【００１１】
［適用例４］
上記適用例にかかる電子機器において、前記接続部と着脱自在に連結し、連結した前記接続部に前記電源を供給する電源供給部を備えることが好ましい。
【００１２】
このような構成によれば、接続部を供給部と連結させることで、接続部に電源を供給できる。
【００１３】
［適用例５］
上記適用例にかかる電子機器において、前記電力制御部は、前記スイッチ部が前記接続状態であり、かつ、前記二次電池の電圧が基準値以下に低下した場合、前記スイッチ部を前記接続状態から前記非接続状態へ切り替えることが好ましい。
【００１４】
このような構成によれば、二次電池の電圧が基準値以下に低下した場合、スイッチ部は接続状態から非接続状態へ切り替わるため、二次電池からの放電を抑制し、電圧低下を回避できる。
【００１５】
［適用例６］
上記適用例にかかる電子機器において、ユーザーの生体に関する生体情報を検出する生体情報検出部を備えることが好ましい。
【００１６】
このような構成によれば、電子機器はユーザーの生体に関する生体情報を検出できる。
【００１７】
［適用例７］
上記適用例にかかる電子機器において、前記生体情報を光の点滅により表示する表示部を備えることが好ましい。
【００１８】
このような構成によれば、生体情報を光の点滅により表示できる。
【００１９】
［適用例８］
上記適用例にかかる電子機器において、前記二次電池は容量が１００ｍＡｈ以下であることが好ましい。
【００２０】
このような構成によれば、電子機器の小型化、軽量化を実現しつつ、小容量の二次電池の不要な電力消耗を防ぐことができる。
【図面の簡単な説明】
【００２１】
【図１】（ａ）は、本発明の実施形態に係る脈拍計をユーザーの肢体である手首に装着した状態を示し、（ｂ）は脈拍計の外観を示す図。
【図２】（ａ）は、本発明の実施形態に係る脈拍計の電力の伝送に関する機能構成を示し、（ｂ）は、本発明の実施形態に係る脈拍計の制御に関する機能構成を示すブロック図である。
【図３】本発明の実施形態に係る脈拍計のハードウェア構成を示す図。
【図４】ユーザーが脈拍計を入手した場合に実行される手順の流れを示すフローチャート。
【発明を実施するための形態】
【００２２】
以下、本発明の実施形態について図面を参照して説明する。
【００２３】
（実施形態）
図１（ａ）は、本実施形態における電子機器である脈拍計５０をユーザーの肢体である手首ＷＲに装着した図である。また、図１（ｂ）は脈拍計５０の外観図である。
この脈拍計５０は、リストバンド３０のバックル３５で手首ＷＲに固定するように構成されている。脈拍計５０が手首ＷＲに固定されると、脈拍計５０の本体部１０の一方の側（背面）が手首ＷＲに密着する。本体部１０の背面には、ユーザーの脈拍を検出して脈波信号を出力する脈波センサー７２（図３）が配設されている。脈拍計５０は、脈波センサー７２を介してユーザーの脈拍を手首ＷＲから検出し、検出した脈拍に関する情報や、脈拍計５０の動作状態に関する情報を表示領域２０の発光により表示する。この表示領域２０には、複数の発光体が本体部１０の正面に並列に配置され、ユーザーが脈拍計５０を装着した状態で視認できるように組み付けられている。
【００２４】
図２（ａ）は、脈拍計５０の電力の伝送に関する機能構成を示すブロック図であり、図２（ｂ）は、脈拍計５０の制御に関する機能構成を示すブロック図である。図２（ａ）および（ｂ）に示すように、脈拍計５０は、二次電池１１０、電力制御部１２０、電源接続部１３０および機能部１３５を備える。機能部１３５は、機能制御部１４０、表示部１５０、報知部１５５、通信部１６０、生体情報検出部１６５、体動情報検出部１７０および記憶部１７５を備える。
図２（ａ）において、各部を接続する太線は電力線を表し、電力の供給関係を表している。機能部１３５、電力制御部１２０および電源接続部１３０は、電子スイッチ部１２６が接続状態のときに、二次電池１１０から電力が供給され、非接続状態のときには二次電池１１０から機能部１３５、電力制御部１２０および電源接続部１３０へは電力供給が停止するように構成されている。また、機能部１３５に供給された電力は、機能制御部１４０により、電力供給が必要な各機能ブロックへ供給される。
【００２５】
また、図２（ｂ）において、各機能部を接続する細線の矢印は各機能ブロック間の制御／監視線を表している。二次電池１１０から電源監視部１２４への制御／監視線では、主に二次電池１１０の電圧の監視を行っている。電源接続部１３０から電源監視部１２４への制御／監視線では、後述する電源接続部１３０の電気的状態の変化を監視している。電源監視部１２４から電子スイッチ部１２６への制御／監視線では、二次電池１１０と、電源接続部１３０の監視結果に基づいた電子スイッチ部１２６との接続状態の切り替えを指示する。
また、電力制御部１２０から機能制御部１４０への制御／監視線では、例えば二次電池の充電状態や電池電圧などの電力状況を機能制御部１４０に通知する。一方、機能制御部１４０から電力制御部１２０への制御／監視線では、電力状況の通知を受けて電子スイッチ部１２６を非接続状態に切り替える制御などを行う。上述した各制御／監視線における処理の詳細については、後述する。
【００２６】
なお、本実施形態では、電子スイッチ部１２６を非接続状態へ切り替える制御は、電源監視部１２４および機能制御部１４０からの制御で実施できるようになっているが、脈拍計５０が動作中は、機能制御部１４０からの制御信号によって非接続状態に切り替えることが好ましい。また万が一、機能部１３５が制御不能な状態に陥り、電力を消耗し続けるような状況になった場合には、電源監視部１２４からの制御信号で非接続状態に切り替えることができる。
【００２７】
図３は、脈拍計５０のハードウェア構成を示す図である。脈拍計５０のハードウェアは、パワーマネジメントＩＣ６０、ＭＣＵ（Micro Control Unit）６２、通信ユニット６４、ＬＥＤ（Light Emitting Diode）６６、振動モーター６８、フラッシュメモリー７０、脈波センサー７２および体動センサー７４等で構成され、これらがバス８０を介して接続されている。また、パワーマネジメントＩＣ６０は、充電池９０および電源端子９５と電気的に接続されている。
ここで、図２（ａ）および（ｂ）、並びに図３を参照して、各機能部の詳細について説明する。
二次電池１１０は、繰り返し充電可能な電池である。本実施形態では、二次電池１１０は、例えば、リチウムイオン電池のような、公称電圧が数Ｖ程度であり、数十ｍＡｈから１００ｍＡｈ以下の小容量の充電池９０を想定する。
【００２８】
電源接続部１３０は、外部電源と接続して数Ｖ程度の所定の電圧の直流電流を入力するための電源端子９５である。外部電源は、所謂、ＡＣアダプターのように、交流の商用電源から所定の直流電圧の電源に変換する電源供給部１９０を想定する。本実施形態では、電源供給部１９０は、図示を略したクレードルに組み込まれた態様を想定する。クレードルは、脈拍計５０と着脱自在に連結できるように構成されている。従って、ユーザーが脈拍計５０をクレードルの所定の位置に載置することで、電源供給部１９０は電源接続部１３０を経由して脈拍計５０へ電源の供給を開始する。
尚、電源接続部１３０は、ＵＳＢ（Universal Serial Bus）規格に基づくポートであっても良く、無線給電のような非接触電力伝送に対応するポートであっても良い。
電力制御部１２０は、電源監視部１２４および電子スイッチ部１２６を備え、脈拍計５０が消費する電力を制御する。本実施形態では、パワーマネジメントＩＣ６０が相当する。
【００２９】
電源監視部１２４は、二次電池１１０の電圧管理、二次電池１１０への充電制御、電源接続部１３０を経由して供給される電源の監視等を行う。また、電子スイッチ部１２６は、電源接続部１３０から供給される電源の入力状態、および二次電池１１０の充電状態に応じて電源監視部１２４が出力する電気信号に基づいて、二次電池１１０から機能制御部１４０への電源の供給を制御する。本実施形態では、電子スイッチ部１２６は、パワーマネジメントＩＣ６０に組み込まれた複数のＦＥＴによるスイッチング回路が相当する。
本実施形態では、この電子スイッチ部１２６は、脈拍計５０が出荷される状態（初期状態）ではＯＦＦ状態、即ち、二次電池１１０と機能制御部１４０との間の電力線が接続されない非接続状態である。従って、この状態で消費される電力は、パワーマネジメントＩＣ６０のスイッチング回路が消費する０．５μＡ程度であり、７０ｍＡｈの充電池９０が使用されていると仮定すると、未開封状態の脈拍計５０は自己放電を考慮しなければ十数年程度に亘り待機状態が維持できる。
ユーザーが入手した脈拍計５０を開封し、外部電源に接続したクレードルの所定位置に脈拍計５０を載置すると、電源供給部１９０から脈拍計５０に対して電源供給が開始され、電子スイッチ部１２６がＯＮ状態、即ち、二次電池１１０と機能制御部１４０とが接続された接続状態に遷移する。つまり、電源接続部１３０から供給される電源の入力状態、電圧印可状態、または二次電池１１０の充電状態などの電気的状態に応じて電源監視部１２４が出力する制御信号に基づいて、電子スイッチ部１２６がＯＦＦ状態からＯＮ状態に遷移する。この結果、二次電池１１０は、電源供給部１９０から供給される電源で充電を開始する。そして、脈拍計５０をユーザーがクレードルから取り外すと、機能制御部１４０は二次電池１１０から供給される電源でシステムの初期化処理を行い、脈拍計５０としての駆動を開始する。
【００３０】
また、電子スイッチ部１２６は、二次電池１１０の電圧が放電により低下し、所定の基準電圧を下回った場合、電源監視部１２４からの指示に基づいてＯＦＦ状態に遷移する。本実施形態では、二次電池１１０の電圧が３．３Ｖ以下に低下した場合、電源監視部１２４の指示に基づいて電子スイッチ部１２６がＯＦＦ状態になる。
機能制御部１４０は、各機能部が実行する所定の機能を制御する。本実施形態では、機能部として、表示部１５０、報知部１５５、通信部１６０、生体情報検出部１６５、体動情報検出部１７０および記憶部１７５を想定する。また、本実施形態では、ＭＣＵ６２が機能制御部１４０に相当する。
尚、ＭＣＵ６２は、ＣＰＵ（Central Processing Unit）、ＲＯＭ（Read Only Memory）、ＲＡＭ（Random Access Memory）、ＲＴＣ（Real Time Clock）、Ａ／Ｄ変換器、Ｄ／Ａ変換器、インターフェイス等のコンピューターシステムを集積回路に組み込んだユニットである。
【００３１】
表示部１５０は、脈拍計５０が計測した脈拍や移動ピッチの情報や、および脈拍計５０の駆動状態を示す情報等をユーザーに表示する。本実施形態では、ＬＥＤ６６が表示部１５０に相当し、ＬＥＤ６６の発光色や、点滅パターンがこれらの情報に応じて変化する。
報知部１５５は、脈拍計５０が計測した脈拍や移動ピッチに関する警告や、脈拍計５０の駆動状態や二次電池１１０の電圧低下等に関する警告をユーザーに報知する。本実施形態では、振動を発生する振動モーター６８が報知部１５５に相当するが、これには限定されず、電磁ブザーやスピーカー等も想定できる。
通信部１６０は、スマートフォン等の高機能携帯電話やタブレット端末等の多機能携帯端末と無線により通信を行い、計測情報や脈拍計５０の状態情報を送信したり、脈拍計５０に対する設定指示や計測指示等を受信したりする。本実施形態では、通信ユニット６４が通信部１６０に相当する。尚、通信ユニット６４は、低消費電力で通信を行うBluetooth Low Energy規格（Bluetoothは登録商標）に従い通信する態様を想定するが、この規格には限定されない。
生体情報検出部１６５は、脈拍計５０を装着したユーザーの脈拍数、歩調および歩数等の生体情報を算出することにより、生体情報を検出する生体情報検出部に相当する。本実施形態では、脈波センサー７２、体動センサー７４、ＭＣＵ６２、および生体情報算出プログラムが生体情報検出部１６５に相当する。
【００３２】
脈波センサー７２は、例えば、光電脈波センサー及びその原理に基づく脈波センサーである。脈波センサー７２は、図示は略すが、ＬＥＤ等の光源と、光源の出力光が、ユーザーの手首ＷＲの血管で反射して生じる反射光を受光して脈波信号に応じた電気信号に変換する光電変換部と、電気信号を増幅する増幅器等を備える。
また、体動センサー７４は、例えば、加速度センサーやジャイロセンサーを想定し、ユーザーの体動を検出し、体動に由来する体動センサー信号を出力する。
また、ＭＣＵ６２やフラッシュメモリー７０には、生体情報を算出する生体情報算出プログラムが記憶されている。ＭＣＵ６２は、該当する生体情報算出プログラムを読み込んで実行する。
生体情報算出プログラムは、体動センサー７４から出力される体動信号に基づいて、脈波センサー７２から出力される脈波信号から体動ノイズ成分信号を除去した拍動成分信号を抽出する。そして、生体情報算出プログラムは、抽出した拍動成分信号に基づいて脈拍数を算出する。
【００３３】
具体的には、生体情報算出プログラムは、例えば、ＦＩＲ（Finite Impulse Response）フィルター等のデジタルフィルターを適応フィルターとして構成し、この適応フィルターを用いて、脈波信号から体動ノイズ成分を除去する処理をデジタル信号処理として実行する。そして、生体情報算出プログラムは、抽出した拍動成分信号に対して周波数解析を行って拍動呈示スペクトルを特定し、その周波数（或いは周期）に基づいて脈拍数を測定する。周波数解析は、例えば高速フーリエ変換ＦＦＴ（Fast Fourier Transform）を適用することができる。
また、生体情報算出プログラムは、体動センサー７４で検出された加速度からユーザーのピッチ（歩調）を算出する。ピッチの算出は、加速度信号に対して所定の周波数解析（例えばＦＦＴ）を行い、ピッチに相当する周波数成分を特定・抽出することで演算することができる。この演算方法の詳細については、例えば特開２００４−８１７４５号公報に開示されている。
尚、生体情報算出プログラムは、予め定められたピッチと脈拍数との対応関係に基づいて、ピッチから脈拍数を推定し、算出した脈拍数、または推定した脈拍数からユーザーの脈拍数を決定する。このようにユーザーの脈拍数をより精度良く算出する手順は、例えば特開２０１２−２３２０１０号公報に開示されている手順を採用しても良い。
【００３４】
更に、生体情報算出プログラムは、ピッチや脈拍数等に基づいて、歩数や消費カロリーを算出しても良い。
体動情報検出部１７０は、脈拍計５０を装着したユーザーの手首ＷＲの動きに関する情報を検出する。本実施形態では、体動センサー７４、ＭＣＵ６２、および体動情報検出プログラムが体動情報検出部１７０に相当する。
体動情報検出部１７０は、体動センサー７４で検出された加速度からユーザーによるタップ操作を検出し、検出したタップ操作に基づく動作指示を機能制御部１４０に送る。本実施形態では、脈拍計５０は小型化や軽量化を図るべく操作ボタン等を具備せず、ユーザーによる操作指示はタップ操作により脈拍計５０に伝達されるように構成されている。
機能制御部１４０は、体動情報検出部１７０から送られる動作指示に基づいて、各機能部の動作を制御する。また、機能制御部１４０は、体動情報検出部１７０が検出する加速度や生体情報検出部１６５が算出する脈拍等の情報に基づいて、脈拍計５０が手首ＷＲから外されて放置されている状態であることも判定できる。
【００３５】
記憶部１７５は、本実施形態ではフラッシュメモリー７０が相当し、種々のデータやプログラム等を記憶する。
図４は、ユーザーが脈拍計５０を入手した場合に実行される処理の流れを示すフローチャートである。
最初に、ユーザーにより脈拍計５０が開封された状態では、電力制御部１２０は電源供給部１９０との接続を判定し（ステップＳ２００）、電源供給部１９０と接続されるまで待機する（ステップＳ２００でＮｏ）。
電力制御部１２０が電源供給部１９０と接続された、あるいは、電源接続部１３０の電気的状態が変化したと判定すると（ステップＳ２００でＹｅｓ）、電力制御部１２０はＯＦＦ状態の電子スイッチ部１２６をＯＮ状態に遷移させる（ステップＳ２０２）。
続いて、電力制御部１２０は、電源供給部１９０から供給される電源を二次電池１１０に供給することで充電が開始され（ステップＳ２０４）、二次電池１１０は充電処理を行う（ステップＳ２０６）。
【００３６】
続いて、電力制御部１２０は、二次電池１１０の電圧を測定し、充電が終了したか、否かを判定する（ステップＳ２０８）。
ここで、電力制御部１２０は充電が終了していないと判定した場合（ステップＳ２０８でＮｏ）、ステップＳ２０６に戻り、二次電池１１０への充電を継続する。
他方で、電力制御部１２０は充電が終了したと判定した場合（ステップＳ２０８でＹｅｓ）、機能制御部１４０に対して充電終了を通知し、機能制御部１４０は脈拍の計測を開始させる（ステップＳ２１０）。
次に、電力制御部１２０は二次電池１１０の電圧が基準値（３．３Ｖ）以下に低下したか、否かを判定する（ステップＳ２１２）。
ここで、電力制御部１２０が二次電池１１０の電圧は基準値以下に低下したと判定した場合（ステップＳ２１２でＹｅｓ）、電力制御部１２０はＯＮ状態の電子スイッチ部１２６をＯＦＦ状態に遷移させ（ステップＳ２２４）、ステップＳ２００に戻り、再度充電が開始されるまで待機する。
【００３７】
他方で、電力制御部１２０が二次電池１１０の電圧は基準値以下に低下していないと判定した場合（ステップＳ２１２でＮｏ）、機能制御部１４０は脈拍計５０が手首ＷＲから外されて放置されている状態か、否かを判定する（ステップＳ２１４）。
ここで、機能制御部１４０が脈拍計５０は手首ＷＲから外されていないと判定した場合（ステップＳ２１４でＮｏ）、ステップＳ２１０に戻り脈拍の計測を継続する。
他方で、機能制御部１４０が脈拍計５０は手首ＷＲから外されていると判定した場合（ステップＳ２１４でＹｅｓ）、機能制御部１４０は動作モードを低消費電力モードに遷移させ、計時機能等の予め決められた機能の動作に限定する（ステップＳ２１６）。
続いて、機能制御部１４０は脈拍計５０が手首ＷＲに装着されたか、否かを判定する（ステップＳ２１８）。
【００３８】
ここで、機能制御部１４０が脈拍計５０は手首ＷＲに装着されたと判定した場合（ステップＳ２１８でＹｅｓ）、機能制御部１４０は動作モードを低消費電力モードから通常のモードに遷移させ（ステップＳ２２２）、ステップＳ２１０に戻り脈拍の計測を再開する。
他方で、機能制御部１４０が脈拍計５０は手首ＷＲから外されていると判定した場合（ステップＳ２１８でＮｏ）、電力制御部１２０は二次電池１１０の電圧が基準値以下に低下したか、否かを判定する（ステップＳ２２０）。
ここで、電力制御部１２０が二次電池１１０の電圧は基準値以下に低下していないと判定した場合（ステップＳ２２０でＮｏ）、ステップＳ２１８に戻る。
他方で、電力制御部１２０が二次電池１１０の電圧は基準値以下に低下したと判定した場合（ステップＳ２２０でＹｅｓ）、電力制御部１２０はＯＮ状態の電子スイッチ部１２６をＯＦＦ状態に遷移させ（ステップＳ２２４）、ステップＳ２００に戻り、再度充電が開始されるまで待機する。
【００３９】
以上述べた実施形態によれば、以下のような効果を奏する。
（１）脈拍計５０が工場から出荷され、ユーザーにより初めて使用されるまで、二次電池１１０は他の構成部と非接続な状態、即ち電気的に非導通であるため、他の構成部への通電による電圧の低下が回避され、長期間に亘り、駆動可能な電圧が維持される。
（２）ユーザーが脈拍計５０をクレードルの所定の位置に載置すると、電子スイッチ部１２６が切り替わることにより、二次電池１１０は電源供給部１９０と接続して導通した状態に遷移し、充電が開始される。
（３）二次電池１１０が放電により所定の基準電圧を下回った場合、脈拍計５０は二次電池１１０を他の構成部と電気的に非接続な状態に切り替えるため、二次電池１１０の過放電を回避し、品質の低下を回避できる。
【００４０】
以上、本発明を図示した実施形態に基づいて説明したが、本発明は、本実施形態に限定されるものではなく、以下に述べるような変形例も想定できる。
（１）電子スイッチ部１２６は、二次電池１１０の電圧が３．３Ｖ以下に低下した場合、電源監視部１２４の指示に基づいて電子スイッチ部１２６がＯＦＦ状態に遷移したが、加えて、二次電池１１０の電圧が３．５Ｖ以下に低下した場合、機能制御部１４０が省電力モードに遷移する態様も想定できる。
（２）ステップＳ２０８において、充電が終了したか否かを判断したが、充電終了の判断を省略して構成しても良い。このように構成することで、ユーザーは充電完了を待たずに任意のタイミングで脈拍計５０を使用することができる。
【００４１】
（３）ステップＳ２０６において、充電処理が完了する前に、二次電池１１０の電圧が基準値以下の状態でユーザーによって充電状態を解除されてしまった場合、電源監視部１２４または機能制御部１４０の制御信号によって電子スイッチ部１２６をＯＦＦ状態に切り替えるように構成しても良い。このように構成することで、過放電状態に陥ってしまうような事態を防止することができる。
各実施形態における各構成及びそれらの組み合わせは一例であり、本発明の趣旨から逸脱しない範囲内で、構成の付加、省略、置換およびその他の変更が可能である。また、本発明は実施形態により限定されるものではなく、クレームの範囲によってのみ限定される。
【符号の説明】
【００４２】
１０…本体部、２０…表示領域、３０…リストバンド、３５…バックル、５０…脈拍計、６０…パワーマネジメントＩＣ、６２…ＭＣＵ、６４…通信ユニット、６６…ＬＥＤ、６８…振動モーター、７０…フラッシュメモリー、７２…脈波センサー、７４…体動センサー、８０…バス、９０…充電池、９５…電源端子、１１０…二次電池、１２０…電力制御部、１２４…電源監視部、１２６…電子スイッチ部、１３０…電源接続部、１３５…機能部、１４０…機能制御部、１５０…表示部、１５５…報知部、１６０…通信部、１６５…生体情報検出部、１７０…体動情報検出部、１７５…記憶部、１９０…電源供給部。
【図１】
2015119908.tif 000003
【図２】
2015119908.tif 000004
【図３】
2015119908.tif 000005
【図４】
2015119908.tif 000006